(57)【特許請求の範囲】
【請求項１】
複数の永久磁石片を接合することにより構成される永久磁石の製造方法であって、
永久磁石片全体を絶縁被膜で覆う磁石片表面処理工程と、
前記磁石片表面処理工程によって絶縁被膜で覆われた個々の永久磁石片を接合する接合工程と、
前記接合された永久磁石片の接合体の全体寸法が所定寸法となるように当該接合体の表面を研削して仕上げ加工する仕上げ加工工程と、
前記仕上げ加工された接合体全体を絶縁被膜で覆う接合体表面処理工程と、
を含み、全体寸法の精度向上のために前記仕上げ加工工程を行うが、製造される永久磁石の永久磁石片間には、前記磁石片表面処理工程で永久磁石片に表面処理された絶縁被膜の層が介在する事を特徴とする永久磁石の製造方法。
【請求項２】
複数の永久磁石片を接合することにより構成される永久磁石の製造方法であって、
永久磁石片全体を絶縁被膜で覆う磁石片表面処理工程と、
前記磁石片表面処理工程によって絶縁被膜で覆われた個々の永久磁石片を接合する接合工程と、
前記接合された永久磁石片の接合体の全体寸法が所定寸法となるように当該接合体の表面を研削して仕上げ加工する仕上げ加工工程と、
前記仕上げ加工された接合体全体を耐食性被膜で覆う接合体表面処理工程と、
を含み、全体寸法の精度向上のために前記仕上げ加工工程を行うが、製造される永久磁石の永久磁石片間には、前記磁石片表面処理工程で永久磁石片に表面処理された絶縁被膜の層が介在する事を特徴とする永久磁石の製造方法。
【請求項３】
複数の永久磁石片を接合することにより構成される永久磁石の製造方法であって、
永久磁石片全体を絶縁被膜で覆う磁石片表面処理工程と、
前記磁石片表面処理工程によって絶縁被膜で覆われた個々の永久磁石片を接合する接合工程と、
前記接合された永久磁石片の接合体の全体寸法が所定寸法となるように当該接合体の表面を研削して仕上げ加工する仕上げ加工工程と、
を含み、全体寸法の精度向上のために前記仕上げ加工工程を行うが、製造される永久磁石の永久磁石片間には、前記磁石片表面処理工程で永久磁石片に表面処理された絶縁被膜の層が介在する事を特徴とする永久磁石の製造方法。
【請求項４】
前記磁石片表面処理工程は、蒸着又は塗装により永久磁石片を絶縁被膜で覆う工程であることを特徴とする請求項１〜３の何れか一項に記載の永久磁石の製造方法。
【請求項５】
前記磁石片表面処理工程は、エポキシ樹脂又はエナメル樹脂で永久磁石片を覆う工程であることを特徴とする請求項１〜４の何れか一項に記載の永久磁石の製造方法。
【請求項６】
請求項１〜５の何れかに記載の製造方法により製造される永久磁石。
【発明の詳細な説明】
【０００１】
【発明の属する技術分野】
本発明は、永久磁石の製造方法及び永久磁石に関する。
【０００２】
【従来の技術】
従来より、例えば鉄道車両や電気自動車等の駆動源として永久磁石電動機が用いられている。永久磁石電動機の一例として、例えば回転せぬよう固定されたステータ（固定子）側に複数のコイルが取り付けられると共に、駆動軸につながれてこれにトルクを与えるロータ（回転子）側に複数の永久磁石が取り付けられた永久磁石同期電動機がある。
この場合は、当該各コイル及び永久磁石は対向配置される。このため、コイルに３相交流電流等を供給した際にこれに生じる交番磁場と、永久磁石の静磁場との相互作用によって、ロータが交番磁場に同期して回転するようになっている。
【０００３】
特に、鉄道車両等の駆動源として用いられる永久磁石同期電動機は、大きなトルクが必要とされる関係上、大型の永久磁石が搭載されていると共に、コイルによって生じる交番磁界も強く設計されている。この場合、当該電動機の回転駆動時には、コイルによって発生される強い磁束が大型の永久磁石を貫く為、永久磁石には大きな渦電流が発生する。この結果、電動機の損失が大きくなり効率の低下をまねく、発熱により永久磁石の減磁が生じるといった問題があった。
【０００４】
この対策として、各々絶縁された複数の永久磁石片を組み合わせて電動機用永久磁石を構成し、これに発生する渦電流を小さくすると共に渦電流を各磁石片内に留めることで、永久磁石に生じる渦電流を低減することが行われている。
【０００５】
この様な永久磁石は例えば、図４（ａ）に示すように、永久磁石母材（ブロック）１００を各々の磁石片に切断したもの、もしくは２０１〜２０３の母材を絶縁性のある接着剤Ｅで接合し接合体３００の形態を製作し、４００ａの被膜処理を施していた。被膜処理とは、エポキシ被膜やエナメル被膜の様な絶縁性の表面処理膜および、ニッケルメッキ、ニッケル無電解メッキ、アルミクロメート塗装の様な導電性の表面処理を言う。
【０００６】
上記の方法により製造された永久磁石の接合部の部分拡大図が図４（ｂ）である。
同図に示す様に、隣り合う永久磁石片２０１，２０２の間に接着剤Ｅからなる接着層が介在している為、各々の永久磁石片間が絶縁されており、渦電流の発生を低減する上で有効な効果を奏していた。
【０００７】
【発明が解決しようとする課題】
しかしながら、上記の様な従来の製造方法では、永久磁石片同士を絶縁性の接着剤を用いて接合している為、均一に接着剤の層を造ることが難しく、隣り合う磁石片の接合面の一部が接触した状態で接合させてしまうことがあった。
この場合は、当該接触箇所から渦電流が漏洩し短絡した状態となる為、各々の永久磁石片内に渦電流を留めることが出来ない。従って、渦電流の発生を効果的に抑制できなくなると言う問題を生じていた。
【０００８】
本発明は、上記の事情に鑑み成されたものであり、渦電流の発生をより確実に抑制する技術を提供する事を目的としている。
【０００９】
【課題を解決するための手段】
以上の課題を解決するための第１の発明は、複数の永久磁石片を接合することにより構成される永久磁石の製造方法であって、永久磁石片全体を絶縁被膜で覆う工程と、前記絶縁被膜で覆われた個々の永久磁石片を接合する工程と、を含む永久磁石の製造方法である。
【００１０】
ここで、絶縁被膜とはエポキシ被膜やエナメル被膜などの絶縁性の物質で各々の磁石片を覆う膜をいう。
この第１の発明によれば、各々の永久磁石片の全面を絶縁被膜が覆う為、これらの磁石片が複数組み合わされ、接合される際には、仮に当該接合面に絶縁性接着剤の均一な層ができない場合であっても、隣り合う磁石片同士が直接接触してしまう事を確実に回避できる。これにより、永久磁石を構成する永久磁石片の各々を確実に絶縁する事ができる為、渦電流の発生をより確実に抑制できる。
【００１１】
また、第２の発明は、複数の永久磁石片を接合することにより構成される永久磁石の製造方法であって、永久磁石片全体を絶縁被膜で覆う工程と、前記絶縁被膜で覆われた個々の永久磁石片を接合する工程と、前記接合された永久磁石片の接合体を仕上げ加工する工程と、前記仕上げ加工された接合体全体を絶縁被膜で覆う工程と、を含む永久磁石の製造方法である。
【００１２】
また、第４の発明は、複数の永久磁石片を接合することにより構成される永久磁石の製造方法であって、永久磁石片全体を絶縁被膜で覆う工程と、前記絶縁被膜で覆われた個々の永久磁石片を接合する工程と、前記接合された永久磁石片の接合体を仕上げ加工する工程と、を含む永久磁石の製造方法である。
【００１３】
この第２、４の発明によれば、第１の発明と同様の効果を具備するとともに、磁石片の状態で仕上げ代を有しているため、接合により磁石の精度が悪くなった場合でも、その後の仕上げ加工を施すことによって所定の寸法精度が得られる。また第２の発明によれば、さらに絶縁被膜の表面処理がなせれるため、酸化防止および磁石表面での渦電流を低減できるという効果を奏する。
【００１４】
また、第３の発明は、複数の永久磁石片を接合することにより構成される永久磁石の製造方法であって、永久磁石片全体を絶縁被膜で覆う工程と、前記絶縁被膜で覆われた個々の永久磁石片を接合する工程と、前記接合された永久磁石片の接合体を仕上げ加工する工程と、前記仕上げ加工された接合体全体を耐食性被膜で覆う工程と、を含む永久磁石の製造方法である。
【００１５】
この第３の発明によれば、第１の発明と同様の効果を具備するとともに、接合体全体を耐食性被膜で覆う工程が含まれるため、更に耐食性に優れた永久磁石を製造することができる。
【００１６】
また、第５の発明は、接合および仕上げ加工が施されることによって、永久磁石を構成することとなる永久磁石片であって、前記仕上げ加工用の仕上げしろを有し、全体が絶縁被膜で覆われていることを特徴とする永久磁石片である。
【００１７】
この第５の発明によれば、永久磁石片には、その全面に絶縁表面処理がなされることとなるため、永久磁石を構成するために、永久磁石片が複数組み合わされ、接合される際において、仮に当該接合面に均一な接合力が加えられない場合等であっても隣り合う永久磁石片同士が直接接触してしまう事がない。また、各々の永久磁石片は、仕上げ加工用の仕上げしろを有しているため、これらの永久磁石片を接合して成る接合体を確実に所定の寸法精度に仕上げ加工することもできる。従って、寸法精度の高い永久磁石を構成することができる。
【００１８】
尚、第１〜第４の発明の何れかの発明の製造方法により製造される永久磁石を第６の発明として構成してもよい。
【００１９】
【発明の実施の形態】
以下、本発明の実施の形態について図１〜図３を参照して説明するが、その前に、本実施の形態の対象とする磁石について説明する。鉄道車両駆動用や電気自動車、さらには電力発電機などの永久磁石発電機や永久磁石電動機では、出力が大きい為必然的に大きな永久磁石が使われる。また、リニアモータなどの永久磁石としてもできるだけ大きな磁力を得るために大きな永久磁石が用いられる。永久磁石が大きくなると、永久磁石中に発生する渦電流も格段に大きくなる。永久磁石に発生する渦電流は着磁方向からみた、磁石の面積が支配的である。
本発明は大型磁石に対して特に有効であるため、本実施の形態では大型磁石の一例について、本発明を適用した場合を例に挙げて説明する。
【００２０】
本実施の形態においては、長さ１２０ｍｍ（周方向）、幅８０ｍｍ（軸方向）、高さ１０ｍｍ（半径方向）の永久磁石で高さ方向に着磁してある磁石を製作する場合について説明する。
【００２１】
また、分割数は任意であるが、本実施の形態では３分割の永久磁石片製造方法について説明する。
また、本実施の形態においては、永久磁石は、電動機用の永久磁石として説明するが、本発明の永久磁石の用途はこれに限られるものではない。
【００２２】
以下、本発明の実施の形態について図１〜図３を参照して説明する。
〔第１の実施の形態〕
図１は、第１の実施の形態による電動機用永久磁石の製造方法を説明する為の図である。この製造方法によれば、第１工程から第５工程までの概略５つの工程を経て電動機用永久磁石６が製造される。
但し、後述する様に永久磁石片２１，２２，２３を、初めからプレス等によって形成する場合は、第１工程を省略することができる。
【００２３】
先ず、第１工程では、永久磁石母材１を分割する事により、複数の永久磁石片２１，２２，２３を形成する。ここで、永久磁石片の分割数は任意である。
但し、永久磁石片を形成する際には、後の第４工程で行う仕上げ加工を見込んで、各永久磁石片２１，２２，２３には仕上げしろを残しておく。
即ち、当該各仕上げしろは後の第４工程に於いて削り取られるため、結果的には永久磁石片２１，２２，２３が図１中破線で示すサイズにまで縮小される。
【００２４】
次いで、第２工程では、永久磁石片２１，２２，２３の各々の全面に絶縁被膜処理を施す。
ここで絶縁被膜処理とは、各永久磁石片２１，２２，２３の全面を、それぞれ絶縁性の膜３１ａ、３２ａ，３３ａで覆う処理である。この絶縁膜の素材及び被膜方法は特に限定されないが、例えば素材としてエポキシ樹脂やエナメル樹脂を用いたり、被膜方法として蒸着や塗装等を用いる事ができる。
【００２５】
例えば、エポキシ塗装の場合には、各永久磁石片２１，２２，２３にエポキシ樹脂を５μｍ程度吹き付ける。その後３０分程度大気中においてエポキシ樹脂中の溶剤を揮発させ、１００℃、１時間の空気雰囲気の中で焼き付けを行う。上記工程を３〜４回程度繰り返し、各永久磁石片２１，２２，２３に１５〜２０μｍ程度のエポキシ樹脂膜を構成させることができる。
【００２６】
次いで、第３工程では、絶縁被膜処理が施された永久磁石片３１，３２，３３の各々の分割面同士を、絶縁性の接着剤を用いて接合する。
この様に、予め全面に絶縁被膜処理が施された永久磁石片同士を接合して電動機用永久磁石６を製造するため、接合時に隣り合う永久磁石片同士が接触してしまう事を確実に回避できる。従って、電動機用永久磁石６に発生する渦電流をより確実に抑制することができる。
【００２７】
接合の方法としては、例えば次の様な方法がある。即ち、例えば、第２工程においてエポキシ塗装を施した永久磁石片３１，３２，３３を、エポキシレジンＡＶ１３８等を用いて接合する。具体的には、永久磁石片３１と３２間、３２と３３間に接着剤を塗布し、接合する。この場合、各磁石間の接着剤層の厚みは約３０μｍとなる。
【００２８】
次いで、第４工程では、永久磁石片３１，３２，３３が接合されて成る接合体４が所定の寸法形状となるように研削等の仕上げ加工を施す。
このとき、第１工程に於いて各々の永久磁石片に残されていた仕上げしろが削り取られる。これに伴い、接合体４の表面に施されている絶縁膜の一部或いは全部も削り取られ、当該表面には永久磁石片５１，５２，５３の表面が露出する。
【００２９】
この様に永久磁石片同士を接合した後に、当該接合体４が所定の寸法となるよう加工するため、隣り合う永久磁石片の接合面ずれや接着剤の隆起といった接合時に発生する誤差要因が最終段階の電動機用永久磁石の寸法形状に影響を及ぼすことが無い。このため、寸法精度の高い永久磁石が実現される。
【００３０】
次いで、第５工程では、仕上げ加工が施されて成る接合体５の全面に絶縁被膜処理を施す。この絶縁被膜処理も、第２工程の場合と同様に、接合体５の全面を、例えばエポキシ樹脂等から成る絶縁膜６ａで覆う事により実現される。この第５工程により、電動機用永久磁石６に発生する渦電流をより確実に抑制することができる。
【００３１】
具体例を挙げると、第２工程と同様に、５μｍのエポキシ樹脂を吹き付け、３０分揮発させた後、１００℃、１時間で焼き付けを行う。この工程を３〜４回程度繰り返すことにより、膜厚を１５〜２０μｍ程度にする。
【００３２】
以上説明した第１工程から第５工程により電動機用永久磁石６を製造することができる。
尚、第１〜第５工程は、必ずしも一連に行われる必要はない。即ち、第３工程において使用する永久磁石片３１，３２，３３は、仕上げ加工用の仕上げしろを有し、全面に絶縁被膜処理がなされていればよい。従って、例えば、寸法の異なる複数種類の永久磁石片３１，３２，３３を予め製造しておき、製造する永久磁石６の寸法に応じて永久磁石片３１，３２，３３を適宜選択・使用することとしてもよい。
【００３３】
また、永久磁石片２１，２２，２３は、必ずしも永久磁石母材を分割する事によって製造する必要はなく、初めから当該各永久磁石片２１，２２，２３そのものを形成することとしてもよい。
即ち、永久磁石母材１を形成する場合と同様に、原料粉を、図示せぬ圧縮型に詰め込んでプレスする事により、永久磁石片２１，２２，２３の原型を形成し、しかる後、当該原型を燒結して一体化する事により永久磁石片２１，２２，２３を形成することとしてもよい。この場合は、前述した第１工程を省略することができる。
更には、永久磁石片２１，２２，２３を必ずしも同一の永久磁石母材１から得る必要はなく、当該各永久磁石片２１，２２，２３の一部又は全部がそれぞれ異なる永久磁石母材から得られたものであってもよい。
【００３４】
第１の実施の形態による電動機用永久磁石６の部分断面拡大図が図２（ａ）である。同図中、符号３１ａ，３２ａは絶縁膜を示し、符号５１，５２はそれぞれ仕上げ加工が施された永久磁石片を示し、符号６ａは絶縁膜を示し、符号Ｅは絶縁性の接着剤から成る絶縁層を示している。
【００３５】
また、図３は、本実施の形態及び後述する第２乃至第５の実施の形態による電動機用永久磁石を、「寸法精度」、「永久磁石片間の絶縁性」、「耐食性」、及び「表面における渦電流対策」の各観点から評価した結果を一覧にした表である。
尚、これらの評価項目のうち、「表面における渦電流対策」とは、電動機用永久磁石の表面において渦電流の発生を如何に抑制できるかを表す評価項目である。
【００３６】
第１の実施の形態による電動機用永久磁石では、絶縁膜３１ａと絶縁膜３２ａとの間に、更に絶縁性の接着材から成る絶縁層Ｅが介在するため、隣り合う永久磁石片５１，５２同士が接触してしまう事を確実に回避することができる。従って、図３に示す様に、この電動機用永久磁石は永久磁石間の絶縁性に優れている。
更に、仕上げ加工が施されて成る接合体５の全面には絶縁膜６ａが設けられるため、図３に示す様に、この電動機用永久磁石は表面における渦電流対策に優れている。
【００３７】
また、第１の実施の形態による電動機用永久磁石の表面は絶縁膜６ａで覆われているが、エポキシ樹脂などから成る絶縁膜は、ある程度の耐食性も発揮するため、図３に示す様に、第１の形態による電動機用永久磁石は耐食性も良好である。
【００３８】
更に、第１の形態による電動機用永久磁石は、永久磁石片同士を接合した後に、当該接合体４が所定の寸法となるよう加工する。このため、第５工程による絶縁膜６ａにより、より精密な寸法を保証し得ないが、第１の実施の形態の電動機用永久磁石の寸法は、良好な精度といえる。
【００３９】
〔第２の実施の形態〕
次に、第２の実施の形態について説明する。
第２の実施の形態による電動機用永久磁石の製造方法は、第１の実施の形態による電動機用永久磁石の製造方法と概ね同様であるが、前述した第５工程に於いて、接合体５に絶縁被膜処理に代えて導電性耐食被膜処理を施したものである。従って、第３工程までの中間体を用いている。
ここで、導電性耐食被膜処理とは、酸化或いは腐食防止の為に、仕上げ加工が施された接合体５を、耐食性を有する導電性の膜で覆う処理である。具体的には、当該耐食性膜としては、例えばニッケル、チタン、又はアルミ等を用いることができ、これらを蒸着したり或いは、これらのメッキを施す処理である。尚、メッキは無電解であってもよい。
【００４０】
第２の実施の形態による電動機用永久磁石の部分断面拡大図が図２（ｂ）である。同図中、符号３１ａ，３２ａは絶縁膜を示し、符号５１，５２はそれぞれ仕上げ加工が施された永久磁石片を示し、符号Ｍはニッケルメッキを示す。
【００４１】
第２の実施の形態による電動機用永久磁石によれば、絶縁膜３１ａと絶縁膜３２ａとの間に、絶縁性の接着材から成る絶縁層Ｅが介在するため、図３に示す様に隣り合う永久磁石片５１，５２間の絶縁性に優れている。
また、この電動機用永久磁石片は、全面にニッケルメッキＭが施されているため、図３に示す様に、他の実施の形態による電動機用永久磁石と比較して特に耐食性に優れている。従って、寿命の長い電動機用永久磁石が実現される。
【００４２】
一方、図３に示す様に、この電動機用永久磁石は「渦電流対策」については必ずしも良好とはいえない。これは、耐食膜として用いるニッケル、チタン、又はアルミ等が良導体である事に起因する。
【００４３】
〔第３の実施の形態〕
次に、第３の実施の形態について説明する。
第３の実施の形態による電動機用永久磁石の製造方法は、第１の実施の形態において、第５工程を省略したものである。従って、第３工程までの中間体を用いている。
【００４４】
第３の実施の形態において製造された電動機用永久磁石の部分断面拡大図を図２（ｃ）に示す。同図中、符号５１，５２は、それぞれ永久磁石片を示し、符号３１ａ，３２ａは、それぞれ絶縁膜を示し、符号Ｅは絶縁性の接着剤から成る絶縁層を示す。
【００４５】
この電動機用永久磁石は、隣り合う永久磁石片５１，５２間に、絶縁膜３１ａ，３２ａと、絶縁層Ｅとが介在するため、図３に示す様に、永久磁石片間の絶縁性に優れている。従って、渦電流の発生を確実に抑制することができる。
但し、この電動機用永久磁石は、最後の仕上げ加工工程において形成された仕上面に絶縁被膜処理や導電性耐食被膜処理等をなんら施さないため、表面における渦電流対策は難である。
一方、この電動機用永久磁石は、最後の仕上げ加工工程において形成された仕上面に絶縁被膜処理や導電性耐食被膜処理等をなんら施さないため、耐食性は犠牲になるものの、図３に示す様に、他の実施の形態による電動機用永久磁石に比較すると寸法精度に特に優れている。
【００４６】
〔第４の実施の形態〕
次に、第４の実施の形態について説明する。
第４の実施の形態による電動機用永久磁石の製造方法は、第１の実施の形態において、第２工程の前に、分割された永久磁石片２１，２２，２３が所定の寸法形状となるよう予め仕上げしろを削り取る工程を更に追加すると共に、第４工程及び第５工程を省略したものである。
【００４７】
第４の実施の形態において製造された電動機用永久磁石の部分断面拡大図を図２（ｄ）に示す。同図中、符号７１，７２は、それぞれ予め仕上げ加工が施された永久磁石片を示し、符号３１ａ，３２ａは、それぞれ絶縁膜を示し、符号Ｅは絶縁性の接着剤から成る絶縁層を示す。
【００４８】
この電動機用永久磁石は、隣り合う永久磁石片７１，７２間に、絶縁膜３１ａ，３２ａと、絶縁層Ｅとが介在するため、図３に示す様に永久磁石片間の絶縁性に優れている。
また、この電動機用永久磁石は、永久磁石片７１，７２の全面がそれぞれ絶縁膜３１ａ，３２ａによって覆われているため、図３に示す様に、他の実施の形態による電動機用永久磁石と比較して、渦電流対策に優れていると共に、耐食性も良好である。
【００４９】
〔比較例〕
次に、比較例について説明する。
比較例としての電動機用永久磁石の製造方法は、第４の実施の形態による永久磁石の製造方法と概ね同様であるが、予め仕上げ加工が施された永久磁石片の各々には、絶縁被膜処理に代えて導電性耐食被膜処理を施す点を特徴とする。
【００５０】
比較例における電動機用永久磁石の部分断面拡大図を図２（ｅ）に示す。同図中、符号８１，８２はそれぞれ予め仕上げ加工が施された永久磁石片を示し、符号Ｍはニッケルメッキを示し、符号Ｅは絶縁性の接着剤から成る絶縁層を示す。
【００５１】
この電動機用永久磁石は、図３に示す様に、表面における渦電流対策が難或いは不可となっているが、これは、永久磁石片８１に施されたニッケルメッキＭと永久磁石片８２に施されたニッケルメッキＭとが一部接触するような場合は、表面における渦電流対策が難であり、永久磁石片８１に施されたニッケルメッキＭと永久磁石片８２に施されたニッケルメッキＭとが接触しない場合は、表面において渦電流の発生をある程度低減できることを表している。
また、この電動機用永久磁石は、永久磁石片８１，８２の全面がそれぞれ耐食性を有するニッケルメッキＭによって覆われているため、図３に示す様に、他の実施の形態による電動機用永久磁石に比較して特に耐食性に優れている。
【００５２】
〔第５の実施の形態〕
次に第５の実施の形態について説明する。
第５の実施の形態による電動機用永久磁石の製造方法は、第１の実施の形態において、第３工程を、永久磁石片３１，３２，３３を、絶縁性の接着剤を用いずに、例えば不図示の枠体に嵌め込み、外側から固定する事により直接接合する工程としたものである。
【００５３】
第５の実施の形態において製造された電動機用永久磁石の部分断面拡大図を図２（ｆ）に示す。同図中、符号３１ａ，３２ａは絶縁膜を示し、符号５１，５２はそれぞれ仕上げ加工が施された永久磁石片を示し、符号６ａは絶縁膜を示している。
【００５４】
この電動機用永久磁石によれば、隣り合う永久磁石片５１，５２の間には２層の絶縁膜３１ａ，３２ａが介在するため、隣り合う永久磁石片同士が直接接触してしまう事を確実に回避できる。これにより、当該電動機用永久磁石片に発生する渦電流を確実に抑制することができる。
【００５５】
以上、種々の実施の形態について説明したが、永久磁石母剤の分割の効果を一層得る為に、永久磁石片の配向方向と平行な方向に永久磁石母剤を分割するとよい。
尚、永久磁石母材及び永久磁石片の形状は任意である。即ち、図１には、板状の永久磁石母材１を分割することにより、直方体状の永久磁石片２１，２２，２３を形成する様子を示したが、略円筒状の永久磁石母材から、横断面が扇形形状を有する瓦状の永久磁石片を形成することとしてもよい。
【００５６】
また、永久磁石片のアスペクト比が出来るだけ大きくなるよう永久磁石母材を分割するのが好ましい。
ここで、アスペクト比とは、永久磁石片を着磁方向に投影して得る投影面の縦横比をいう。この様にアスペクト比の大きい永久磁石片を用いて構成した電動機用永久磁石は、平面視において略正方形の永久磁石片を用いて電動機用永久磁石を構成する場合に比較して、渦電流の発生を最小限に抑えることができると云う効果を奏する。
【００５７】
また、永久磁石は、電動機用の永久磁石として説明したが、これに限らず、例えば、リニアモータなどの永久磁石にも適用可能である。
【００５８】
【発明の効果】
本発明によれば、渦電流の発生をより確実に抑制できる。
【図面の簡単な説明】
【図１】第１の実施の形態による永久磁石の製造方法を説明する為の図である。
【図２】（ａ）は第１の実施の形態による電動機用永久磁石の部分断面拡大図、（ｂ）は第２の実施の形態による電動機用永久磁石の部分断面拡大図、（ｃ）は第３の実施の形態による電動機用永久磁石の部分断面拡大図、（ｄ）は第４の実施の形態による電動機用永久磁石の部分断面拡大図、（ｅ）は比較例としての電動機用永久磁石の部分断面拡大図、（ｆ）は第５の実施の形態による電動機用永久磁石の部分断面拡大図である。
【図３】第１乃至第５の実施の形態による電動機用永久磁石の評価結果を示す図表である。
【図４】（ａ）は従来技術による電動機用永久磁石の製造方法を説明す為の図であり、（ｂ）はその製造方法によって製造された永久磁石の部分断面拡大図を示す図である。
【符号の説明】
１，１００        永久磁石母材
２，２００        永久磁石片
３１ａ，３２ａ    絶縁膜
４，３００        接合体
５                仕上げ加工が施された接合体
５１，５２        永久磁石片
６                電動機用永久磁石
６ａ              絶縁膜
７１，７２        永久磁石片
８１，８２        永久磁石片
Ｅ                接着剤から成る絶縁層
Ｍ                ニッケルメッキ
【図１】
0003731872.tif 000002
【図２】
0003731872.tif 000003
【図３】
0003731872.tif 000004
【図４】
0003731872.tif 000005